(57)【要約】【課題】  ズボンなどの洗濯物を干す場合、竿に掛けると胴回り部分が２重に重なり乾燥が遅れ、また一般の物干し具の場合洗濯物の取入れに手間と時間が掛り急な雨が降った時雨濡れする、またそのまま保管すると広い保管場所が必要になる。【手段】  本発明は、洗濯物を挟み吊るす洗濯ハサミ類７が取付けてある複数の連結部材付き水平部品５を支点軸類３で組付けてヒンジを構成し、連結部材付き水平部品５を開閉する複数の開閉リンクセット６でリンク機構を構成する、また物干し竿などに掛け支持する支持フック１ａを有する。  前記構成はリンク機構であり、簡単な操作で開口でき洗濯物を筒状に広げて干せる、また開閉リンクセット６を押し上げ操作で閉口し閉口状態を維持したまま保管でき、課題を解決出来る構成であり洗濯用ハンガーと保管用ハンガーを共有出来る開閉式ハンガー装置である。【選択図】図１
2015139694.tif 000002
【特許請求の範囲】
【請求項１】
洗濯物を挟み吊るす洗濯ハサミ類（７）を有する水平部材（５ａ）と連結部材（４ａ）からなる連結部材付水平部品（５）と、この連結部材（４ａ）の他端どうしを物干し竿などの支持物に吊り下げるための支持フック（１ａ）を取付けた開閉支点軸（３ａ）で組付けてなる上部ヒンジと、また前記連結部材付水平部品（５）に回動自在に取付けその開閉を行うと共に、開き巾を保ち閉じようとするのを防ぐストッパー機能を有する開閉リンクセット（６）からなる下部ヒンジ、この上部ヒンジと下部ヒンジでリンク機構を構成し動きがスムースにでき、洗濯物などの重みを利用し開口状態と閉口状態を個別に維持でき、簡単な操作で軽く開閉が行える構成としたことを特徴とする開閉式ハンガー装置。
【請求項２】
前記開閉リンクセット（６）と連結部材を複数使用、そのうち中央の連結部材（４ａ）は一定の長さに、左右の連結部材を伸縮できる伸縮連結部材（４ｈ）または伸縮固定具付き連結部材（４ｃ）とし一定の長さ以上伸びないストッパー付きとする、また縮む時は弾性部材（４ｆ）で閉口状態を維持できる構成としたことを特徴とする請求項１に記載の開閉式ハンガー装置。
【請求項３】
前記開閉リンクセット（６）と固定具付き連結部材（４ｂ）または伸縮固定具付き連結部材（４ｃ）を複数と、水平部材をジグザグに曲げ水平方向に巾を広げた曲げ水平部材（５ｂ）を固定具付きの連結部材で開口時水平にして締結する事で相対する洗濯ハサミ類（７）を分離し接触を防ぎ、また中央の連結部材は固定具付き連結部材（４ｂ）とし一定の長さで、左右の連結部材を伸縮できる伸縮固定具付き連結部材（４ｃ）として一定の長さ以上伸びないストッパー付きにし、縮む時は弾性部材（４ｆ）で閉口状態を維持できる構成としたことを特徴とする請求項１に記載の開閉式ハンガー装置。
【請求項４】
開閉式ハンガーの左側に前記連結部材付水平部品（５）と、右側に伸縮連結部材付き水平部品（５ｃ）を使用、この連結部材の他端どうしを支持フック（１ａ）が取付けてある開閉支点軸（３ａ）で組付けてなる上部ヒンジと、前記左右の水平部材（５ａ）に回動自在に取付けその開閉を行うと共に、開き巾を保ち閉じようとするのを防ぐストッパー機能を有する開閉リンクセット（６）からなる下部ヒンジ、この上部ヒンジと下部ヒンジでリンク機構を構成する、この下部ヒンジ部品の開閉リンクセット（６）と左右の水平部材（５ａ）に簡単に取付け、取り外せる物置台（１３）を使用することで垂直面などに固定または掛けて使用できる開閉式物置装置と、開閉式ハンガーにも転用できる構成としたことを特徴とする請求項１〜請求項３のいずれかに記載の開閉式ハンガー装置。
【発明の詳細な説明】
【発明の明細な説明】
【技術分野】
【０００１】  本発明は、ズボンやスカートなどの洗濯物を筒状に広げて干せ、かつズボンなどを外すことなくハンガーの巾を狭くし、そのまま保管できる開閉式ハンガー装置に関する物である。
【背景技術】
【０００２】  従来ズボンやスカートなどの洗濯物を物干し竿に通して干すと、物干し竿の占有部分が多くなり、またズボンなどに不必要なしわが付く事が有るので以下の特許文献に示す様な発明や類似商品があり、これらを使用することが一般的である。
また上記の状況から色々な発明がなされ多数の出願があるが、開閉式ハンガー干し具でズボンなどを外すことなく開口部を簡単に軽く押し上げて閉じハンガー巾を狭くし、そのまま保管できる構造の物が殆ど無く、また強い風に対する開口を維持出来る構造の物が少ない、また開閉式ハンガー装置で開閉式物置装置（飾棚）と共用出来る構造の物が無い。
【先行技術文献】
【０００３】
【特許文献１】  特開２００７−１３５７１３
【特許文献２】  特開２０００−１４９９３
【特許文献３】  特開２００７−２３６８４６
【特許文献４】  登録実用新案第３００８１１３号
【発明の概要】
【発明が解決しようとする課題】
【０００４】  しかしながら上記物干し竿を利用してズボンやスカートなどを竿に通して干す場合は物干し竿の占有部分が多くなる、また汎用ハンガーを使用する場合はピンチから外し畳み保管する必要があり手間が掛る、またそのまま保管した場合は広い保管場所が必要である。
また物干し竿を利用してズボンやスカートを干す場合、二重かさねで胴回り部をクリップで物干し竿などに挟み吊り下げて干すことが有るが重なりのある胴回り部は筒状に広げて干す時に比べて乾燥が遅れる、また急な雨が降って急いで取り入れる場合竿からズボンなどを外して取り入れる為時間を必要としときには洗濯物を雨で濡らすこともあった、また市販の物干し具を使い扇風機などで強制乾燥する時、開いた筒状が扇風機の風で閉まることがあり乾燥に時間が掛ることがあった。
特許文献１ではズボンを干す時ズボンを裏返し、内側に位置するベルト通しにハンガーの先端フック部を通し掛けるのでズボンを円筒状に広げ風通しをよくし抜け落ちる事がないハンガーが出願されている、しかし保管する時にはハンガーからズボンを取り外し裏返し元に戻して畳んで保管する必要があり手間が掛る。
特許文献２ではズボン、スカートなど洗濯物を筒状のままで干せる利点はあるが特許文献１と同じく保管時に手間と時間が掛るか、また広い保管場所が必要になる。
特許文献３では急な雨が降って室内に取入れる時壁などに吊り水平状態で壁掛けが可能で洗濯物同士が接触しない為乾きやすい、さらに物干し本体は折り畳みが可能な連結式であり収納スペースを小さく出来るなどの利点がある、しかし物干し本体の構造は洗濯物の重みで本体左右分割フレームの接合部でストッパーになり、略水平を維持出来る構造となっているが、扇風機による強制乾燥時に市販の物干し具と同じように本体左右分割フレームの接合部で折れ重なることが推定できる。
特許文献４では閉口時山形に折り曲げ自在な連結棒を用いた開閉式物干し器が登録になり有効期限切れになっている、しかし開口時に特許文献３と同じことが推定できる。
本発明は以上のような従来の欠点に鑑み、課題を解決できる開閉式ハンガー装置を提供することを目的としている。
【課題を解決するための手段】  上記目的を達成するために、本発明は次に述べるような構成としている。【０００５】  請求項１記載の発明は洗濯物を挟み吊るす洗濯ハサミ類を有する水平部材と連結部材からなる連結部材付水平部品と、この連結部材の他端どうしを物干し竿などの支持物に吊り下げるための支持フックを取付けた開閉支点軸で組付けてなる上部ヒンジと、また前記連結部材付水平部品に回動自在に取付けその開閉を行うと共に開き巾を保ち閉じようとするのを防ぐストッパー機能を有する開閉リンクセットからなる下部ヒンジ、この上部ヒンジと下部ヒンジでリンク機構を構成し動きがスムースにでき、洗濯物などの重みを利用し開口状態と閉口状態を個別に維持でき簡単な操作で軽く開閉が行える、またズボンなどを円筒状に保持出来、乾燥が２重重ねの時より約３０％以上早く乾燥出来るなどの効果がある。
前記開閉リンクセットはストッパー方式によっては平板材（帯材）でも製作できる、しかし開閉リンクセットはコの字断面材とする事で水平部材を２点で支持できる、また複数セット使用することで相対する水平部材の平行度を上げると共に強度を上げる効果がある。
また長尺の水平部材を使い端末締結部材は簡単に取り外せる構造（ばねナット、ばねクリップなどにする）にすれば洗濯ハサミ類の使用個数を増やせ他のクリッブなどに変えられズボン、スカートのみでなくバスタオルなどの長物や小児用小物などをより多く干せる開閉式ハンガー装置にできる。【０００６】  請求項２記載の発明は開閉リンクセットと連結部材を複数使用してそのうち中央の連結部材は一定の長さに、左右の連結部材を伸縮できる伸縮連結部材または伸縮固定具付連結部材とし一定の長さ以上伸びないストッパー付きとする、また縮む時は弾性部材で閉口状態を維持できる構造とすることで２連結式開閉ンガー装置にできると共に、水平部材を長くでき多数の洗濯物を干せる構造にもなる、この時開閉リンクセットを複数使用すると閉口時個々に連結支点軸を押し上げる必要があるので前後方向の連結支点軸を長くし１本にする事で操作性が改善出来る。【０００７】  請求項３記載の発明は開閉リンクセットと固定具付連結部材または伸縮固定具付連結部材を複数と、水平部材をジグザグに曲げ水平方向に巾を広げた曲げ水平部材を固定具付きの連結部材で開口時水平にして締結する事で相対する洗濯ハサミ類を分離し接触を防ぐと共に閉口時巾を約半分以上狭くできる、また中央の固定具付連結部材は一定の長さに、左右の連結部材を伸縮できる伸縮固定具付連結部材として一定の長さ以上伸びないストッパー付きにして縮む時は弾性部材で閉口状態を維持できる構造とすることで２連結式開閉ハンガー装置になると共に、水平部材を長くでき多数の洗濯物を干せる構造にも出来る、この時開閉リンクセットを複数使用すると閉口時個々に連結支点軸を押し上げる必要があるので前後の連結支点軸を長くし１本にする事で操作性が改善出来る。【０００８】  請求項４記載の発明は左側に連結部材付水平部品と、右側に伸縮連結部材付水平部品を使用、この両連結部材の他端どうしを壁掛けフックなどの支持物に吊り下げるための支持フックを取付けた開閉支点軸で組付けてなる上部ヒンジと、前記左右の水平部材に回動自在に取付けその開閉を行うと共に、開き巾を保ち閉じようとするのを防ぐストッパー機能を有する開閉リンクセットからなる下部ヒンジ、この上部ヒンジと下部ヒンジでリンク機構を構成する、この下部ヒンジ部品の開閉リンクセットと左右の水平部材に簡単に取付け、取り外せる物置板を使用することで垂直面などに固定または掛けて使用できる開閉式物置装置（飾棚など）にもでき、また開閉式ハンガーにも使える構造の開閉式ハンガー装置となる。
【発明の効果】
【０００９】（１）開閉式ハンガー装置を洗濯用ハンガーとして使用した時、洗濯物の重みで開口状態を維持出来る構造であり、ズボン、スカートなどの胴回りが筒状の洗濯物を筒状に開口した状態で干せる為、二重かさねの時に比べ風通りがよくなり約３０〜３５％早く乾燥でき、また扇風機などで強制乾燥した場合角度αが１６０度であれば開いた状態を維持できる、しかし可変式ストッパー機能付きにして角度αを狭く（例えば１６０度以下に）することで開いた状態をより安定して維持できる。【００１０】（２）水平部材を複数本共に長尺物を使った時、水平部材の端末締結部材は簡単に取り外せる構造（ばねナット、ばねクリップなどにする）にして洗濯ハサミ類の使用個数を増やせる、また他のクリップなどに変える事ができズボンやスカートのみでなくバスタオルなどの長物や小児用小物などをより多く干せる開閉式ハンガー装置にできる。【００１１】（３）このハンガーは洗濯用ハンガーと保管用ハンガーの共用ができる、洗濯物が乾燥し取込む場合または急な雨の時には洗濯物を外すことなく開閉リンクセットの連結支点軸近くを軽く押し上げるか引き上げて開口を閉じ、そのまま保管用ハンガーとして使用出来るため取込み時間の短縮になると共に保管時の巾を開口時より１／３以上狭く出来る。【００１２】（４）ズボンなど保管する時ベルトを通した状態で吊るして保管出来るので次回使用時にベルト通しが不要で手間が省けて皺にならない、また使用中に汗でベルト近くに湿気が残ることがある、この時ズボンなどにベルトを通した状態でこのハンガーが使用でき保管が楽にできる、次回使用時にベルト通しが不要で手間が省けると共に開いた状態で吊して保管すれば湿気を大幅に減らせるかまた無い状態で使用出来る。【００１３】（５）この開閉式ハンガー装置は洗濯用ハンガーと垂直面などに固定または掛けて使用できる開閉式物置装置（飾棚など）としても使用出来る、また前後の下部ヒンジ部品の開閉リンクセットと左右の水平部材に簡単に取付け取り外せる物置板を使用し、使用状態に合わせて作れば花台、飾り棚、物置台、クリップを使ったメモ吊り下げホルダーなど洗濯物以外にも使用出来る。
【図面の簡単な説明】
【００１４】
【図１】  本発明に係る開閉式ハンガー装置の正面図を示す。
【図２】  本発明に係る開閉式ハンガー装置の側面図を示す。
【図３】  基軸取付け部品、開閉支点軸共に長尺とした一実施例の正面図を示す。
【図４】  開閉支点軸に支持フックを取付けた一実施例の部分図を示す。
【図５】  開閉支点軸に支持フックを取付けたネジ式、ピン式の部分図を示す。
【図６】  面当てストッパーの要素部分を示す。
【図７】  ピンストッパーの一実施形態を示す。
【図８】  ストッパー位置を変更できるネジ式ストッパーの一実施例を示す。
【図９】  ダブル開閉式ハンガー装置の側面図を示す。
【図１０】  連結部材に水平部材を固定する方法の部分図を示す。
【図１１】  基軸取付け部品に複数本の開閉支点軸で連結部材を取付けた一実施例を示す。
【図１２】  連結部材付水平部品として連結部材に、水平部材を取付けた一実施例を示す。
【図１３】  連結部材付水平部品で連結材を前後に使った一実施例を示す。
【図１４】  水平部材をジグザグに曲げ、巾を狭くするイメージ図を示す。
【図１５】  水平部材の端末にばねナットを使用した部分図を示す。
【図１６】  開閉式ハンガー装置を物置装置（飾台）にも使える構成図の側面図を示す。
【図１７】  開閉式ハンガー装置を物置装置（飾台）にも使える構成図の正面図を示す。
【図１８】  図２に基づき試作した試作寸法図及び計算の基本図を示す。
【発明を実施する形態】
課題を解決するため、実施の形態を図面に基づき説明する、ここでは一実施例を示すがこの方法に限定する物ではない。
【００１５】  図１、図２、図９に示すようにこの開閉式ハンガー装置の特長は上部ヒンジと下部ヒンジで構成するリンク機構でありスムースな動きが出来る、主なリンク部品は開閉支点軸３ａ、連結部材付き水平部品５、開閉リンクセット６でありその他部品として支持フック１ａ、洗濯ハサミ類７、各種のストッパー類（ピン、位置決めボルト）、弾性スペース部材１ｂ、３ｂ、４ｆ、６ｄ、９ｃ端末締結部材１ｃ、３ｃ、９弾性位置決めリング８基軸取付け部品２などで構成する。
なおここで、連結部材付き水平部品５の主な部品は洗濯物を挟み吊るす洗濯ハサミ類７を有する水平部材５ａと連結部材４ａからなり、水平部材に円柱直線材を使用した水平部材５ａや図１４に示す様なジグザグに曲げ水平方向に巾を広げた曲げ水平部材５ｂ（ジグザグ曲げ）などがあり用途ごとに長さを変えて使う、例えば２連結式開閉ハンガー装置で開閉リンクセット６を複数使用した時には水平部材５ａを長くでき多数の洗濯物を干せる構造に出来る、この構造は１連結式、２連結式開閉ハンガー装置にも活用出来る。
ここで言うリンク機構とは上下のヒンジを水平部材５ａでつないで構成する、また上下ヒンジ共に仮想二等辺三角形（開閉支点軸３ａを複数使用する場合は仮想四角形になる事もある）を構成している為、開閉がスムースに出来る構造である。
【００１６】  図１、図２、図９などに示す様に、連結部材には平板材（帯材）を使い寸法切断し一端近傍に水平部材５ａに合わせた穴を他端近傍に開閉支点軸３ａに合わせた穴を、使用する全部の連結部材に等ピッチで設けて使うことで二等辺ヒンジが出来る、また用途によって連結部材を変える、例えば伸縮できる伸縮連結部材４ｈ、または伸縮でき固定具付きの伸縮固定具付き連結部材４ｃなどである、図９、図１６に示す様に、連結部材を使う時前後を一体化して一つの部品にまとめる、この部品を使う事で加工コストや組立工数を削減出来る、なお連結部材付き水平部品５は、製造方法によって異なるが連結部材４ａに水平部材５ａを組込むか、また図１０に示すのは固定具付連結部材４ｂに取付けてある固定金具４ｄで水平部材５ａを固定または回動自在に締結し一体化された状態である、連結部材４ａと水平部材５ａを射出成形で一体化加工した物など色々な作り方がある、しかし開閉リンクセット６の取付け部は円柱形状にして回動自在にする必要があると共に開閉リンクセット６の取り付け位置は水平部材５ａまたは図１３に示すように開閉支点軸３ａの中心より等寸の位置に取付けてある連結補助部材４ｇでも良い、また用途、製造方法などによって断面形状、材質、着色なども色々変更して作れる、ここでは一例を示した。
なお、ここで伸縮連結部材４ｈとは連結部材４ａを内外各一本使い、内側の連結部材が外側の連結部材内を移動でき伸び縮みする、しかしストッパー部ｅがあり一定以上は伸びない構造とし、また縮む時は板ばねなど弾性部材４ｆが取付けてあり縮んだ状態を維持できる構造とした連結部材である、また用途によっては他の連結部材と同じ中心穴寸法になる様に固定ネジを取付けると尚良い（飾棚から開閉式ハンガーに変更する時に便利）。
【００１７】  図１、図２、図４に示すように開閉支点軸３ａの前後左右中央に支持フック１ａを回動自在に取付ける、また連結部材４ａを開閉支点軸３ａの前後に設けた取付け軸部に挿入、次に弾性スペース部材３ｂを挿入し端末締結部材３ｃ（ナット、接着、ツブシ加工）などで締結または接着する、この時連結部材４ａが弾性スペース部材３ｂの反発力により手動で軽く回動出来るよう調整することによって支持フック１ａが常に上向きに保持出来て取り扱いしやすく出来る。
また図５、図１１に示すように開閉支点軸３ａの形状、材質、取付けの方法などにより複数個の穴を加工して、例えばネジ式開閉支点軸３ｄ、ピン式開閉支点軸３ｅなどの開閉支点軸を前後共１本〜複数本使用することも出来る。
【００１８】  図３、図１７に基軸取付け部品２を使った方法を示す、長尺物の水平部材５ａを使用した時開閉支点軸３ａに直接支持フック１ａを取付けて使用出来るが開閉支点軸３ａに支持フック１ａの取付け穴を直接本体に加工すると強度上軸径を太くしなければならないか、または開閉支点軸３ａの支持フック１ａ取付け部を潰し加工して巾を広げる方法があるが、しかし平板材（帯板）を使い両端を曲げて立下り部に開閉支点軸３ａの取付け穴をあけると共にコーナー部はリブ打ち加工、エンボス加工、絞り加工、曲げ加工などで強度を上げることでコストの低減ができる、また左右前後の中心部には支持フック１ａ用の穴を加工し、取付ける必要がある為前記加工で強度を上げる事はコストから有利な方法である、また図１１に示すごとく基軸取付け部品２ｂに多数の開閉支点軸３ａ取付け穴を加工しネジ式開閉支点軸３ｄ、ピン式開閉支点軸３ｅなどの取付けが出来る、この事で連結部材の取付け巾が広がる。
【００１９】  図２、図９、図１６に、開閉リンクセット６の取付け状態を示す、前記開閉リンクセット６はストッパー付き連結片６ａ、ストッパー受け連結片６ｂ、連結支点軸６ｃ、弾性スペース部材６ｄ、端末締結部材６ｅから成り、ストッパー付き連結片６ａ、ストッパー受け連結片６ｂの両端部より内側に約同一中心寸法で貫通穴を設ける、前記両部材の一端に水平部材５ａを、他端に連結支点軸６ｃ、弾性スペース部材６ｄを組込み、端末締結部材６ｅを用いて軽い力で回動出来るよう調整し締結する、なお前記水平部材５ａにはストッパー付き連結片６ａ及びストッパー受け連結片６ｂを回動自在に取付ける、また曲げ水平部材５ｂ（ジグザグに曲げた水平部材）では図１０に示す様な取付け具が必要になる、このような時固定金具４ｄで締結する。
【００２０】  図６、図７に示す様に、開閉リンクセット６のストッパー付き連結片６ａ及びストッパー受け連結片６ｂの上部に出来る角度１０（α）を例えば開口時１６０度とすることで洗濯物の重みを利用し開口と閉口状態を安定して維持でき、簡単な操作で軽く開閉が行える構造でありズボンなどを円筒状に保持でき、乾燥が２重重ねの時より約３０％以上早く乾燥できるなどの効果が有る、また扇風機などで強制乾燥した場合にも開いた状態を維持できる、また図８に示すごとく開閉リンクセット６に可変式ストッパー機能付きを使用すれば角度１０（α）を狭く（例えば１６０度以下に）することで開いた状態をより安定して維持できる構造にできる、また角度１０（α）は１６０度以上、１２０度以下も使用出来るが開口の維持、開口巾が狭くなる事から推奨出来ない。
【００２１】  図９、図１６、図１７に示すストッパー付き連結片６ａとストッパー受け連結片６ｂの断面形状をコの字とする事で水平部材５ａを２点支持出来る、１点支持より水平状態を維持しやすく安定した構造になる、また複数セット使用すればより安定度が増す、水平部材５ａが２００〜３００ミリの時はコの字の巾を広くして１セットの使用で良いが、水平部材５ａが２５０〜６００ミリの時は複数セット使用するのが良い、ストッパー方式や材質、形状、成形方法、コストなどで色々と考えられる、ここでは一実施例を示した。
【００２２】  図１、図３に基づき開閉式ハンガー装置の組立に付いて一例を説明する、水平部材５ａに開閉リンクセット６を回動自在に組込み位置決めの為に弾性位置決めリング８を組込む、その後連結部材４ａ、弾性位置決めリング８を組込み横づれ防止に使う、また前記水平部材５ａに弾性位置決めリング８、洗濯ハサミ類７を組込み図２示すように端末締結部材９を組込み洗濯ハサミ類７の脱落を防ぐ、また長尺の水平部材５ａを使い図１５のごとく端末カバー９ａ、端末ばねナット９ｂ、端末ばねクリップなどを使って水平部材５ａに取付けた洗濯ハサミ類７を簡単に取替え、追加、組替え出来る構造に出来る、これにより例えば幼児用から大人用の洗濯物共に使え、また多くの洗濯物が干せる構造にできる。
【００２３】  図９に示すごとく、水平部材５ａまたは５ｂを３本、及び長さに対応して開閉リンクセット６を複数セット使用、中央の連結部材は連結部材４ａ又は固定具付連結部材４ｂとして一定の長さとし、他の部材は伸縮固定具付連結部材４ｃ、又は伸縮連結部材４ｈとして伸縮でき、ピンストッパー部ｅを使いそれ以上は伸びない構造とする、また縮める時は板ばねなど弾性部材４ｆを取付けて閉口状態を維持する、この事により３本の水平部材５ａまたは５ｂが略水平状態を安定し維持出来る構造とする。
３本の円柱直線材の水平部材５ａを使用して固定すると閉口時に洗濯ハサミ類７同士が接触するかまたは洗濯ハサミ類７と水平部材５ａが接触し閉口巾が広くなる、そこで水平部材５ｂを１本または３本共、図１４のイメージ図に示すごとく曲げ加工を行いジグザグとして伸縮固定具付連結部材４ｃに固定することで水平方向に巾を広げ、洗濯ハサミ類７を７ａ−７ｂ、７ｃ−７ｄの様に使用することで接触を防ぎ保管時の閉口巾を約半分以上狭められる、この構造は１連結式、２連結式開閉ハンガー装置共に活用出来る。
尚、ここで伸縮連結部材４ｂとは連結部材４ａを内外に使い、内の連結部材が外側の連結部材内を移動でき伸び縮みする、しかしストッパー部ｅがあり一定以上は伸びない構造とし、また縮む時は板ばねなど弾性部材４ｆが取付けてあり縮んだ状態を維持できる構造とした連結部材である。
【００２４】  発明の開閉式ハンガー装置を使用するときは、支持フック１ａを竿などに掛けて連結支点軸６ｃ近くを押し下げると連結部材付き水平部品５が広がる、そののち開閉リンクセット６を軽く押し下げ、ストッパーに当たっていることを確認する、そのことで開口が完了し洗濯ハサミ類７の取り扱いがしやすくなる、この状態でズボンなどの胴回りを広げて洗濯ハサミ類７で挟み吊るして干せる。
また閉口するには連結支点軸６ｃ近くを下から軽く押し上げる、または上から引き上げることで閉じるが板ばねなど弾性スペース部材３ｂ、弾性部材４ｆ、弾性スペース部材６ｄが取付けてあり締り不足状態になる時には連結部材４ａなどを軽く内側に押して閉じる。
また２連結式開閉ハンガー装置などの時には開閉リンクセット６を多数使用するが、個々に連結支点軸６ｃを押し上げるのではなく、開閉リンクセット６を複数セット一本の連結支点軸６ｃを使って一度に操作出来る構造にもできる。
【００２５】  図１６、図１７に示すごとく開閉式ハンガー装置の左側に前記連結部材付水平部品５と、右側に伸縮連結部材付水平部品５ｃを使用、この両連結部材の他端どうしを壁掛けフックなどの支持物に吊り下げるための支持フック１ａを取付けた開閉支点軸３ａで組付けてなる上部ヒンジと、前記左右の水平部材５ａに回動自在に取付けその開閉を行うと共に、開き巾を保ち閉じようとするのを防ぐストッパー機能を有する開閉リンクセット６からなる下部ヒンジ、この上部ヒンジと下部ヒンジでリンク機構を構成する、この下部ヒンジ部品の開閉リンクセット６と左右の水平部材５ａに乗せ簡単に取付け、取り外せる物置板１３を使用することで垂直面などに固定または掛けて使用できる開閉式物置（物置台、飾棚）にもできる開閉式ハンガー装置である。
この時、開閉リンクセット６は水平部材５ａの両端近傍に取付ける、また構成によっては連結部材４ａを複数使用し開閉支点軸３ａを前後に長尺一本とするなど全体の部品強度を上げる事でより重い物に対応できる構造になる、また開閉支点軸３ａに基軸取付け部品２ｂを使用して支持フック１ａを取付けて段差のある壁面に取付け易くできる、また穴付基軸取付け部品２ｂに穴を設け直接ネジなどで取付けられる構造にも出来る、また物置板１３が左右前後に移動するのを防ぐ止め板やピンなどを設け、上面にも設けて落下を防ぐ構造とする。
尚この構成はリンク機構であり開閉式で、物置板１３を取り外したのち開閉リンクセット６を押し上げると閉口出来る為、必要のない時には閉口するか、または支持フック１ａを支持物に吊り下げるためのフック類から外しても良い。（開閉式ハンガー装置と同じで外して保管しても良い）。
【発明を実施するための異なる形態】
【００２６】  この開閉式ハンガー装置の構造は開口時に両側の水平部材に網を掛け渡し、広げて固定する、この網の上に乾燥する物を載せて干せる、また支持フック部にモーターなどを取付け回転させる、また開閉リンクセット６を上下に使用すると上下にスペースが広がり、網を外周全体に掛けて物干し装置として活用出来き、多くの品物が干せる装置にも利用できる構造である。
【産業上の利用可能性】
【００２７】  本発明は、主に物干し具、洗濯物ハンガー、インテリア商品（飾棚、物置台など）を製造する産業で利用できる、また魚などの干し具にも使用出来る構造であろう。
〔  本発明品の実測値と計算値を比較  〕【００２８】Ａ．試作品の条件
本発明の試作品を図１８に基づき製作し、Ｌ寸法、押し下げ力の実測値と頂角１０（α  ）及び、頂角１１（β）を変えて実測値と計算値を比較して評価考察をした。【００２９】Ｂ．開口時寸法の検討
Ｂ−１  頂角βは７６°、頂角αは１６０°の時頂角１２（γ）は１０°となるから
Ｌ＝５０×ｃｏｓ１０°×２倍
＝５０×０．９８５×２１８０°≒９８．４８
Ｂ−２  頂角αを１７０°とした時、頂角γは５°だから
Ｌ＝５０×ｃｏｓ５°×２倍
＝５０×０．９９６×２≒９９．６
Ｂ−３  頂角αを１２０°とした時、頂角γは３０°だから
Ｌ＝５０×ｃｏｓ３０°×２倍
＝５０×０．８６６×２≒８６．６
Ｂ−４  考察
試作品の頂角βは７６°、頂角αは１６０°である、実側値はＬ＝９８．５ミリであ    った。上記Ｂ−１の計算値がＬ＝９８．４８ミリとほぼ等しい。またＢ−２頂角αが    １７０°の時計算値がＬ＝９９．６となり、試作品の１８０°の時実側値１００ミリ    でありほぼ等しい、またＢ−３頂角αが１２０°の時計算値がＬ＝１３．４ミリ狭く    なる、１２０°以下でも成り立つが、リンク機構の構造を活かす点からＬ寸法がこれ    以上狭くなるのは得策でないと考える。【００３０】Ｃ．押し下げ力、押し上げ力の検討
Ｃ−１洗濯物の重さが１ｋｇで４ケの洗濯ハサミで同等の重さに分割された場合水平部材    １本には２ケの洗濯ハサミが取付けられ、また中心から前後共に同じ距離で取付けて    あるとすれば、左右の水平部材は０．５ｋｇの重さを分担している事になる。この事    から図３に示すごとく０．５ｋｇであり、頂角βが７６°の時計算でＰ１、Ｐ２に分    力すると
Ｐ２＝０．５ｋｇ×ｔｎａ３８°
＝０．５ｋｇ×０．７８１３≒０．３９０７ｋｇとなる、
次にＰ２をＰ３、Ｐ４に分力すると
Ｃ−２頂角αが１６０°の時、上記計算値よりＰａ≒０．３９０７ｋｇである。
Ｐ４＝Ｐ２／ｃｏｓ１０°
＝０．３９０７ｋｇ／０．９８４８≒０．３９７ｋｇ
Ｐ３＝Ｐ２×ｔｎａ１０°
＝０．３９０７ｋｇ×０．１７３６≒０．０６９ｋｇ
Ｃ−３頂角αが１２０°の時、頂角βは計算値から約３３°であり
Ｐ２＝０．５×ｔｎａ３３°
＝０．５×０．６４１≒０．３２１ｋｇ
Ｐ４＝Ｐ２／ｃｏｓ３０°
＝０．３２１ｋｇ／０．８６６０≒０．３７１ｋｇ
Ｐ３＝Ｐ２×ｔｎａ３０°
＝０．３２１ｋｇ×０．５７４４≒０．１８４４ｋｇ
Ｃ−４頂角αが１８０°の時、頂角βは計算値から約３８．４°であり
Ｐ２＝０．５×ｔｎａ３８．４°
＝０．５×０．８００  ≒０．４００ｋｇ
Ｐ４＝Ｐ２／ｃｏｓ０°
＝０．４００ｋｇ／１．０≒０．４００ｋｇ
Ｐ３＝Ｐ２×ｔｎａ０°
＝０．４００ｋｇ×０    ≒０ｋｇ
Ｃ−５  考察
頂角αが１６０°の時、試作品を使い押し上げ力を２０回測定した所、平均値で１．    ４８Ｎであった。Ｃ−１で押し下げ力の計算値はＰ３＝０．０６９ｋｇである、押し    上げ力は押し下げ力の反力と等しいことからＰ５＝２Ｐ３＝２×０．０６９ｋｇ＝０    ．１３８ｋｇ  となり、また単位をニュートンにすると０．１３８ｋｇ×９．８＝１    ．３５２Ｎで実側値とほぼ等しくなる、また頂角αが１８０°の時、Ｐ２で両方から    押し合っている状態であり、Ｐ３が０ｋｇである為小さな押し上げ力で開口は維持出    来ず閉じてしまう。【００３１】Ｄ．  考察のマトメ
Ｄ−１  頂角αが１６０°の時Ｂ−４に示すごとく開口部Ｌ寸法は１．５２ミリ狭くなる        が押し下げ力が働き、扇風機による強制乾燥時に開口を維持出来る、また閉口時        に大きな押し上げ力も必要なくスムースな開閉が出来る。
Ｄ−２    頂角αが１８０°の時Ｂ−４に示すごとく開口部Ｌ寸法は１００ミリと変化し        ない、しかしＣ−５の考察通り押し下げ力は０ｋｇであり両方から０．４ｋｇで        押し合っている為、弱い風にも開口が維持出来なくなる事が考えられる、その対        策として開閉支点軸３ａ、連結支点軸６ｃの弾性材反発力を強くすれば開口を維        持出来る、しかし押し上げ力が大きくなる事が難点である、この事は１７０°〜        １７９°でも殆ど同じである。
Ｄ−３    頂角αが１２０°の時Ｂ−４に示すごとく開口部Ｌ寸法は１３．４ミリ狭くな        り構造を活かす点からこれ以上狭くなるのは得策でない。
Ｄ−４    前記Ｄ−１、Ｄ−２、Ｄ−３の通り構造上からＬ寸法がこれ以上狭くならず、        また小さな押し上げ力で開閉できる頂角αは１２０°〜１７０°が得策である。        １２０°以下、１７０°以上の角度でも使えるが上記の様な問題が有り使用する        のは得策でない。
【符号の説明】
【００３２】  １ａ    支持フック
１ｂ    弾性スペース部材
１ｃ    端末締結部材
１ｄ    移動止めリング
２      基軸取付け部品
２ａ    支持フック取付け穴
２ｂ    穴付基軸取付け部品
２ｃ    皿ネジ取付け穴
３      支点軸類
３ａ    開閉支点軸
３ｂ    弾性スペース部材
３ｃ    端末締結部材（ナット、接着、ツブシ加工を含む）
３ｄ    ネジ式開閉支点軸
３ｅ    ピン式開閉支点軸
４ａ    連結部材
４ｂ    固定具付連結部材
４ｃ    伸縮固定具付連結部材
４ｄ    固定金具
４ｅ    丸皿ネジ
４ｆ    弾性部材
４ｇ    連結補助部材
４ｈ    伸縮連結部材
５      連結部材付き水平部品
５ａ    水平部材
５ｂ    曲げ水平部材（ジグザグ曲げ）
５ｃ    伸縮連結部材付水平部品
６      開閉リンクセット
６ａ    ストッパー付き連結片
６ｂ    ストッパー受け連結片
６ｃ    連結支点軸
６ｄ    弾性スペース部材
６ｅ    端末締結部材
６ｆ    ストッパー量調整丸皿ネジ
７      洗濯ハサミ類
７ｂ    洗濯ハサミ取付け位置
８      弾性位置決めリング
８ｂ    大径弾性位置決めリング
８ｃ    大径大径弾性位置決めリング
９      端末締結部材
９ａ    端末カバー
９ｂ    端末ばねナット
９ｃ    大径弾性スペース部材
１０      頂角α
１１      頂角β
１２      頂角γ
１３      物置板
イ      上部仮想二等辺三角形で開閉支点軸３ａの中心点
ロ      上部仮想二等辺三角形の下部左側水平部材の中心点
ハ      上部仮想二等辺三角形の下部右側水平部材の中心点
ニ      下部仮想二等辺三角形の連結支点軸６ｃの中心点
ローハ    仮想中心線
Ｐ      洗濯物の重さを２等分した重さで  ０．５ｋｇ
Ｐ１      ０．５ｋｇの分力
Ｐ２      ０．５ｋｇの水平方向（仮想中心線ローハ）の分力
Ｐ３      Ｐ２の垂直方向の分力で押し下げ力
Ｐ４      Ｐ２の分力
Ｐ５      押し上げ力で左右の押し下げ力の反力でありＰ３の２倍である
Ｎ      重さの単位で１ｋｇは９．８Ｎ
Ｌ      開口時の下部左右水平部材の中心点間寸法でローハの長さ
ｅ      ストッパー接点部、またはピンストッパー
【図１】
2015139694.tif 000003
【図２】
2015139694.tif 000004
【図３】
2015139694.tif 000005
【図４】
2015139694.tif 000006
【図５】
2015139694.tif 000007
【図６】
2015139694.tif 000008
【図７】
2015139694.tif 000009
【図８】
2015139694.tif 000010
【図９】
2015139694.tif 000011
【図１０】
2015139694.tif 000012
【図１１】
2015139694.tif 000013
【図１２】
2015139694.tif 000014
【図１３】
2015139694.tif 000015
【図１４】
2015139694.tif 000016
【図１５】
2015139694.tif 000017
【図１６】
2015139694.tif 000018
【図１７】
2015139694.tif 000019
【図１８】
2015139694.tif 000020